(57)【要約】【課題】粘弾性体等が、ボルトの引張りによる圧縮過程においても、また圧縮後の復元過程においても、制振変形動作を行うことができて、効果的な制振作用を発現することができる、ボルト接合部における制振構造等を提供する。【解決手段】ボルト頭部３ａと部材１の間に、皿バネ６が、中央のボルト通孔６ａにボルト３を通して介設され、該皿バネ６の円錐凹所６ｂ内に該凹所面に沿うように粘弾性体８が備えられている。皿バネ６の広口側に隣接して平ワッシャー７が備えられ、該平ワッシャー７に皿バネ６の広口側が摺動可能に当接しているとよい。【選択図】      図１
2006105171.tif 000002
【特許請求の範囲】
【請求項１】
ボルト接合部において、ボルト頭部と部材の間、及び／又は、ナットと部材との間に、皿バネが、中央のボルト通孔にボルトを通して介設され、該皿バネの円錐凹所内に該凹所面に沿うように粘性体又は粘弾性体が備えられていることを特徴とする、ボルト接合部における制振構造。
【請求項２】
前記皿バネの広口側に隣接して平ワッシャーが備えられ、該平ワッシャーに皿バネの広口側が摺動可能に当接している請求項１に記載のボルト接合部における制振構造。
【請求項３】
中央にボルト通孔を有し、円錐凹所内に該凹所面に沿うように粘性体又は粘弾性体が備えられていることを特徴とする制振皿バネ。
【請求項４】
広口側を摺動可能に当接させる平ワッシャーが組み合わされている請求項３に記載の制振皿バネ
【発明の詳細な説明】
【技術分野】
【０００１】
本発明は、ボルト接合部における制振構造及び制振皿バネに関する。
【背景技術】
【０００２】
粘弾性体を複合したワッシャーをボルト接合部に用いることで、ボルト接合部に制振機能をもたせる技術は、従来より知られている。
【特許文献１】特開平６−３４１４８８号公報
【発明の開示】
【発明が解決しようとする課題】
【０００３】
しかしながら、従来の構造では、ボルトの引張りによって粘弾性体がつぶれ方向に変形して制振作用を及ぼすが、粘弾性体は、復元を、自らの弾性復元力によって行うだけで、復元過程で折角変形動作の機会があるにもかかわらず、制振作用は行われないという弱点がある。
【０００４】
本発明は、上記のような問題点に鑑み、粘弾性体又は粘性体が、ボルトの引張りによる圧縮過程においても、また圧縮後の復元過程においても、制振変形動作を行うことができて、効果的な制振作用を発現することができる、ボルト接合部における制振構造等を提供することを課題とする。
【課題を解決するための手段】
【０００５】
上記の課題は、ボルト接合部において、ボルト頭部と部材の間、及び／又は、ナットと部材との間に、皿バネが、中央のボルト通孔にボルトを通して介設され、該皿バネの円錐凹所内に該凹所面に沿うように粘性体又は粘弾性体が備えられていることを特徴とする、ボルト接合部における制振構造によって解決される。また、中央にボルト通孔を有し、円錐凹所内に該凹所面に沿うように粘性体又は粘弾性体が備えられていることを特徴とする制振皿バネによって解決される。
【０００６】
上記の制振構造、制振皿バネでは、皿バネの円錐凹所内に粘性体又は粘弾性体が備えられているので、ボルトが引っ張られる圧縮過程において、皿バネが広口側を拡開させて圧縮変形をしていくことで、円錐凹所内の粘性体又は粘弾性体は皿バネに変形動作を強制されて制振作用を発現し、また、圧縮後の復元過程においても、皿バネが広口側を狭くしていく復元変形をしていくことで、円錐凹所内の粘性体又は粘弾性体は皿バネに復元変形動作を強制されて制振作用を発現する。このように、上記の制振構造、制振皿バネによれば、粘弾性体又は粘性体が、ボルトの引張りによる圧縮過程においても、また圧縮後の復元過程においても、制振変形動作を行うことができて、効果的な制振作用を発現することができる。
【０００７】
上記の制振構造において、皿バネの広口側に隣接して平ワッシャーが備えられ、該平ワッシャーに皿バネの広口側が摺動可能に当接している場合は、平ワッシャーによって皿バネの圧縮と復元の動作の安定性を容易かつ確実に確保することができる。
【０００８】
また、上記の制振皿バネにおいて、広口側を摺動可能に当接させる平ワッシャーが組み合わされている場合は、これをボルト接合部に用いることで、平ワッシャーによって皿バネの圧縮と復元の動作の安定性を容易かつ確実に確保することができると共に、ボルト接合時に特定サイズの平ワッシャーを選択する手間を省くことができると共に、部品段階において、粘性体又は粘弾性体を皿バネと平ワッシャーとで傷や損傷から守ることができる。
【発明の効果】
【０００９】
本発明は、以上のとおりのものであるから、粘弾性体又は粘性体が、ボルトの引張りによる圧縮過程においても、また圧縮後の復元過程においても、制振変形動作を行うことができて、効果的な制振作用を発現することができる。
【発明を実施するための最良の形態】
【００１０】
次に、本発明の実施最良形態を図面に基づいて説明する。
【００１１】
図１（イ）（ロ）に示す実施形態の制振構造において、１，２は鋼板等からなる部材、３はボルト、４はナット、５は制振皿バネ、７は平ワッシャーである。
【００１２】
制振皿バネ５は、皿バネ６とその円錐凹所６ｂ内に備えられた粘弾性体８とで構成され、粘弾性体８は皿バネ６の円錐凹所６ｂ内の凹所面に沿い、かつ、ボルト通孔６ａを塞がない態様で備えられている。
【００１３】
また、平ワッシャー７は、皿バネ６の広口側が摺動可能に当接する形態とサイズを備えたものからなっている。
【００１４】
そして、両部材１，２は、制振皿バネ５をボルト頭部３ａと部材１との間に、広口側を部材１の側に向けるようにして介在させると共に、平ワッシャー７を制振皿バネ５と部材１との間に介在させて、ボルト３とナット４で締め合わされて接合されている。
【００１５】
なお、平ワッシャー７は、図１（ハ）に示すように、制振皿バネ５の広口側に予め組み合わされて複合化されていてもよい。
【００１６】
上記のボルト接合構造では、図２（イ）に示すように、ボルト３が引っ張られる圧縮過程において、皿バネ６が広口側を拡開させて圧縮変形をしていくことで、円錐凹所６ｂ内の粘弾性体８は皿バネ６に変形動作を強制されて制振作用を発現し、また、図２（ロ）に示すように、圧縮後の復元過程においても、皿バネ６が広口側を狭くしていく復元変形をしていくことで、円錐凹所６ｂ内の粘弾性体８は皿バネ６に復元変形動作を強制されて制振作用を発現する。このように、上記の制振構造によれば、粘弾性体が、ボルト３の引張りによる圧縮過程においても、また圧縮後の復元過程においても、制振変形動作を行うことができて、効果的な制振作用を発現することができる。
【００１７】
また、皿バネ６の広口側に平ワッシャー７を備えさせているので、ボルト３が引っ張られる際に、皿バネ６を確実に拡開圧縮変形させることができ、粘弾性体８を確実に働かせることができる。
【００１８】
以上に、本発明の実施形態を示したが、本発明はこれに限られるものではなく、発明思想を逸脱しない範囲で各種の変更が可能である。例えば、上記の実施形態では、制振皿バネ５の広口側を部材１の側に向けているが、平ワッシャー７を用いる場合は、広口側をボルト頭部３ａの側に向けるようにしてもよい。
【００１９】
また、上記の実施形態では、ボルト頭部３ａと部材１との間に制振皿バネ５を備えさせた場合を示しているが、ナット４と部材２との間に制振皿バネを備えさせたり、両方に備えさせるようにしてもよい。
【００２０】
また、上記の実施形態では粘弾性体８を用いた場合を示しているが、粘性体が用いられてもよいし、粘性体と弾性体の複合体からなる粘弾性体が用いられてもよい。
【００２１】
更に、本発明の制振皿バネは、リベット接合部において、リベット頭部と部材との間に介設して、リベット接合部に制振作用を行わせるようにしてもよいし、様々な部材同士の様々な接合部に用いられてよい。
【図面の簡単な説明】
【００２２】
【図１】図（イ）は実施形態の制振構造を示す断面正面図、図（ロ）はその分解断面正面図、図（ハ）は制振皿バネの変更例を示す断面正面図である。
【図２】図（イ）及び図（ロ）はそれぞれ、制振構造の作動状態を示す断面正面図である。
【符号の説明】
【００２３】
１，２…両部材
３…ボルト
３ａ…ボルト頭部
４…ナット
５…制振皿バネ
６…皿バネ
６ａ…ボルト通孔
６ｂ…円錐凹所
７…平ワッシャー
８…粘弾性体
【図１】
2006105171.tif 000003
【図２】
2006105171.tif 000004